Podtech/llm-jp-corpus-v4-ja_patent huggingface dataset:
【手続補正書】
【提出日】平成22年2月22日(2010.2.22)
【手続補正１】
【補正対象書類名】明細書
【補正対象項目名】００４４
【補正方法】変更
【補正の内容】
【００４４】
ＡＣＫ待ちバッファ１４は、分割統合処理部１３からのＲＬＣ-ｄａｔａ-ＰＤＵや、再送バッファ１５からのＲＬＣ-ｄａｔａ-ＰＤＵ又はＲＬＣ-ｄａｔａ-Ｓｕｂ-ＰＤＵや、再分割処理部１７からのＲＬＣ-ｄａｔａ-Ｓｕｂ-ＰＤＵを格納するように構成されている。
【手続補正２】
【補正対象書類名】明細書
【補正対象項目名】００６６
【補正方法】変更
【補正の内容】
【００６６】
しかしながら、ＡＣＫ待ちバッファ１４は、受信側装置のＲＬＣサブレイヤから受信したＳＴＡＴＵＳ-ＰＤＵ（ＡＣＫ/ＮＡＣＫ）に含まれるＲＬＣ-ｄａｔａ-ＰＤＵのシーケンス番号が、送達確認情報受信ウィンドウの範囲内の値（「ＶＴ（Ａ）」≦シーケンス番号≦「ＶＴ（Ｓ）−１」））でない場合、該シーケンス番号に係るＳＴＡＴＵＳ-ＰＤＵ（ＡＣＫ/ＮＡＣＫ）については無視する、すなわち、該シーケンス番号に係るＳＴＡＴＵＳ-ＰＤＵ（ＡＣＫ/ＮＡＣＫ）に基づいて、ウィンドウ制御処理及び再送制御処理を行わないように構成されている。
【手続補正３】
【補正対象書類名】明細書
【補正対象項目名】００８６
【補正方法】変更
【補正の内容】
【００８６】
（本発明の第１の実施形態に係る移動通信システムの動作）
図６を参照して、本発明の第１の実施形態に係る移動通信システムにおける送信側装置の動作について説明する。
【手続補正４】
【補正対象書類名】明細書
【補正対象項目名】００８７
【補正方法】変更
【補正の内容】
【００８７】
図６に示すように、ステップＳ１０１において、送信側装置のＲＬＣサブレイヤが、受信側装置のＲＬＣサブレイヤからのＳＴＡＴＵＳ-ＰＤＵ（ＡＣＫ/ＮＡＣＫ）を受信する。
【手続補正５】
【補正対象書類名】明細書
【補正対象項目名】００９２
【補正方法】変更
【補正の内容】
【００９２】
一方、受信したＳＴＡＴＵＳ-ＰＤＵ（ＡＣＫ・ＮＡＣＫ）によって特定されるＲＬＣ-ＰＤＵのシーケンス番号が、送達確認情報受信ウィンドウ外の値であると判定された場合、ステップＳ１０４において、送信側装置のＲＬＣサブレイヤは、かかるＳＴＡＴＵＳ-ＰＤＵ（ＡＣＫ/ＮＡＣＫ）を無視する、すなわち、かかるＳＴＡＴＵＳ-ＰＤＵ（ＡＣＫ/ＮＡＣＫ）に基づいて、ウィンドウ制御処理及びパケットの再送制御処理を行わない。
【手続補正書】
【提出日】平成22年2月8日(2010.2.8)
【手続補正１】
【補正対象書類名】特許請求の範囲
【補正対象項目名】請求項１
【補正方法】変更
【補正の内容】
【請求項１】
電話機および前記電話機の載置台を有する電話装置であって、
前記載置台は、
自載置台に載置されている前記電話機に操作信号を出力する操作信号出力端子と、
自載置台に載置されている前記電話機から表示信号を入力する表示信号入力端子と、
自載置台に載置されている前記電話機に音声信号を出力すると共に、自載置台に載置されている前記電話機から音声信号を入力する載置台側音声信号入出力端子と、
ユーザから操作を受け付け、受け付けた操作内容に応じた操作信号を前記操作信号出力端子から出力する載置台側操作受付手段と、
前記表示信号入力端子を介して入力された表示信号に従い情報を表示する載置台側表示手段と、
前記載置台側音声信号入出力端子を介して入力された音声信号に従い音声を出力すると共に、ユーザから音声を受け付け、受け付けた音声に応じた音声信号を前記載置台側音声信号入出力端子から出力する載置台側音声入出力手段と、を有し、
前記電話機は、
自電話機を載置している前記載置台から操作信号を入力する操作信号入力端子と、
自電話機を載置している前記載置台に表示信号を出力する表示信号出力端子と、
自電話機を載置している前記載置台に音声信号を出力すると共に、自電話機を載置している前記載置台から音声信号を入力する電話機側音声信号入出力端子と、
ユーザから操作を受け付け、受け付けた操作内容に応じた操作信号を出力する電話機側操作受付手段と、
入力された表示信号に従い情報を表示する電話機側表示手段と、
入力された音声信号に従い音声を出力すると共に、ユーザから音声を受け付け、受け付けた音声に応じた音声信号を出力する電話機側音声入出力手段と、
前記操作信号入力端子および前記電話機側操作受付手段の各々から操作信号を受け付け、処理する操作信号処理手段と、
表示信号を生成して、前記表示信号出力端子および前記電話機側表示手段の各々に出力する表示信号処理手段と、
前記電話機側音声信号入出力端子および前記電話機側音声入出力手段の各々と送受信する音声信号を処理する音声信号処理手段と、を有する
ことを特徴とする電話装置。
【手続補正２】
【補正対象書類名】明細書
【補正対象項目名】０００７
【補正方法】変更
【補正の内容】
【０００７】
例えば、本発明は、電話機および前記電話機の載置台を有する電話装置であって、
前記載置台は、
自載置台に載置されている前記電話機に操作信号を出力する操作信号出力端子と、
自載置台に載置されている前記電話機から表示信号を入力する表示信号入力端子と、
自載置台に載置されている前記電話機に音声信号を出力すると共に、自載置台に載置されている前記電話機から音声信号を入力する載置台側音声信号入出力端子と、
ユーザから操作を受け付け、受け付けた操作内容に応じた操作信号を前記操作信号出力端子から出力する載置台側操作受付手段と、
前記表示信号入力端子を介して入力された表示信号に従い情報を表示する載置台側表示手段と、
前記載置台側音声信号入出力端子を介して入力された音声信号に従い音声を出力すると共に、ユーザから音声を受け付け、受け付けた音声に応じた音声信号を前記載置台側音声信号入出力端子から出力する載置台側音声入出力手段と、を有し、
前記電話機は、
自電話機を載置している前記載置台から操作信号を入力する操作信号入力端子と、
自電話機を載置している前記載置台に表示信号を出力する表示信号出力端子と、
自電話機を載置している前記載置台に音声信号を出力すると共に、自電話機を載置している前記載置台から音声信号を入力する電話機側音声信号入出力端子と、
ユーザから操作を受け付け、受け付けた操作内容に応じた操作信号を出力する電話機側操作受付手段と、
入力された表示信号に従い情報を表示する電話機側表示手段と、
入力された音声信号に従い音声を出力すると共に、ユーザから音声を受け付け、受け付けた音声に応じた音声信号を出力する電話機側音声入出力手段と、
前記操作信号入力端子および前記電話機側操作受付手段の各々から操作信号を受け付け、処理する操作信号処理手段と、
表示信号を生成して、前記表示信号出力端子および前記電話機側表示手段の各々に出力する表示信号処理手段と、
前記電話機側音声信号入出力端子および前記電話機側音声入出力手段の各々と送受信する音声信号を処理する音声信号処理手段と、を有する。
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
原稿が載置される原稿載置台を備え、原稿載置台に載置された状態の原稿の画像を読み取る読取装置であって、
前記原稿載置台を投影面にして、投影画像として入力キーを含む投影キーボードを照射する投影ユニットと、
ユーザの前記投影キーボードに対する入力を検知する入力検出センサと、
を有することを特徴とする画像読取装置。
【請求項２】
本体に対して回動自在に設けられた読取ユニットを有し、
前記原稿載置台に載置された原稿の画像を前記読取ユニットが閉じた状態で読み取り、
前記読取ユニットは、前記読取ユニットが閉じた状態で前記原稿載置台に載置された原稿と対向する透明板と、前記透明板を介して原稿の画像を読み取る読取センサと、を備えることを特徴とする請求項１に記載の画像読取装置。
【請求項３】
前記読取ユニットに前記投影ユニットが設けられ、前記読取ユニットが開いた状態で、前記投影ユニットは、前記透明板を介して前記原稿載置台を前記投影面として前記投影キーボードを投影することを特徴とする請求項２に記載の画像読取装置。
【請求項４】
請求項１乃至３のいずれかに記載の画像読取装置を備え、前記画像読取装置によって原稿の画像を読み取って複写を行う画像形成装置であって、
前記投影ユニットが複数の取り付け場所に取り付け可能であり、かつ複数の取り付け場所のうちの少なくとも一つの場所では、前記投影面となる平板が、前記画像形成装置の側板の低部位に取り付けられ、その平板の上面に前記投影キーボード部が投影されることを特徴とする画像形成装置。
【請求項５】
前記投影ユニットがマグネットを利用して着脱可能となっていることを特徴とする請求項４に記載の画像形成装置。
【手続補正２】
【補正対象書類名】明細書
【補正対象項目名】０００８
【補正方法】変更
【補正の内容】
【０００８】
上記目的を達成するために、本発明の代表的な画像読取装置は、原稿が載置される原稿載置台を備え、原稿載置台に載置された状態の原稿の画像を読み取る読取装置であって、前記原稿載置台を投影面にして、投影画像として入力キーを含む投影キーボードを照射する投影ユニットと、ユーザの前記投影キーボードに対する入力を検知する入力検出センサと、を有することを特徴とする。
【手続補正３】
【補正対象書類名】明細書
【補正対象項目名】発明の名称
【補正方法】変更
【補正の内容】
【発明の名称】画像読取装置及び画像形成装置
【手続補正４】
【補正対象書類名】明細書
【補正対象項目名】０００１
【補正方法】変更
【補正の内容】
【０００１】
本発明は、原稿の画像を読み取る画像読取装置及び画像形成装置に関する。
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
原稿を搬送する搬送手段と、
前記搬送手段により搬送される前記原稿の表面を読み取る第１の画像読取手段と、
前記搬送手段により搬送される前記原稿の裏面をガラスを介して読み取る第２の画像読取手段と、
前記原稿の搬送方向における前記第２の画像読取手段と前記ガラスの相対位置を移動させる移動手段と、
前記第２の画像読取手段が前記ガラスを読み取った際にゴミによる異常画像を検知した場合、前記移動手段により前記第２の画像読取手段と前記ガラスの相対位置を移動させ、前記第２の画像読取手段により前記ガラスを読み取ることにより前記ガラスに付着したゴミによる異常度合が低い相対位置を検索する検索処理を行い、前記検索された相対位置で前記第２の画像読取手段による原稿の読み取りを行わせる制御手段を備え、
前記制御手段は、前記第２の画像読取手段を使用せず前記第１の画像読取手段を使用して前記搬送手段により連続して搬送される複数の原稿を読み取る読取モードのとき、前記読取モードでの読取動作後に前記検索処理を行うことを特徴とする画像読取装置。
【請求項２】
前記読取モードは、原稿の片面を前記第１の画像読取手段により読み取る片面読取モードまたは原稿の表面を前記第１の画像読取手段により読み取った後に前記搬送手段により原稿を反転させて原稿の裏面を前記第１の画像読取手段により読み取る原稿反転読取モードであることを特徴とする請求項１記載の画像読取装置。
【請求項３】
原稿を搬送する搬送手段と、
前記搬送手段により搬送される前記原稿の表面を第１のガラスを介して読み取る第１の画像読取手段と、
前記搬送手段により搬送される前記原稿の裏面を第２のガラスを介して読み取る第２の画像読取手段と、
前記原稿の搬送方向における前記第１の画像読取手段と前記第１のガラスの相対位置を移動させる第１の移動手段と、
前記原稿の搬送方向における前記第２の画像読取手段と前記第２のガラスの相対位置を移動させる第２の移動手段と、
前記第１の画像読取手段が前記第１のガラスを読み取った際にゴミによる異常画像を検知した場合、前記第１の移動手段により前記第１の画像読取手段と前記第１のガラスの相対位置を移動させ、前記第１の画像読取手段により前記第１のガラスを読み取ることにより前記第１のガラスに付着したゴミによる異常度合が低い相対位置を検索する第１の検索処理を行い、前記第１の検索処理で検索された相対位置で前記第１の画像読取手段による原稿の読み取りを行わせ、前記第２の画像読取手段が前記第２のガラスを読み取った際にゴミによる異常画像を検知した場合、前記第２の移動手段により前記第２の画像読取手段と前記第２のガラスの相対位置を移動させ、前記第２の画像読取手段により前記第２のガラスを読み取ることにより前記第２のガラスに付着したゴミによる異常度合が低い相対位置を検索する第２の検索処理を行い、前記第２の検索処理で検索された相対位置で前記第２の画像読取手段による原稿の読み取りを行わせる制御手段を備え、
前記制御手段は、前記第２の画像読取手段を使用せず前記第１の画像読取手段を使用して前記搬送手段により連続して搬送される複数の原稿を読み取る読取モードのとき、原稿の読取動作の前に前記第１の検索処理を行い、前記読取モードでの読取動作後に前記第１及び第２の検索処理を行うことを特徴とする画像読取装置。
【請求項４】
前記読取モードは、原稿の片面を前記第１の画像読取手段により読み取る片面読取モードまたは原稿の表面を前記第１の画像読取手段により読み取った後に前記搬送手段により原稿を反転させて原稿の裏面を前記第１の画像読取手段により読み取る原稿反転読取モードであることを特徴とする請求項３記載の画像読取装置。
【請求項５】
前記制御手段は、前記第１及び第２の画像読取手段を使用して前記搬送手段により連続して搬送される複数の原稿を読み取る両面読取モードのとき、原稿の読取動作の前に前記第１及び第２の検索処理を行い、前記読取モードでの読取動作後に前記第１及び第２の検索処理を行うことを特徴とする請求項３記載の画像読取装置。
【手続補正２】
【補正対象書類名】明細書
【補正対象項目名】発明の名称
【補正方法】変更
【補正の内容】
【発明の名称】画像読取装置
【手続補正３】
【補正対象書類名】明細書
【補正対象項目名】０００１
【補正方法】変更
【補正の内容】
【０００１】
本発明は、原稿を読み取って画像データを取得する画像読取装置に関する。
【手続補正４】
【補正対象書類名】明細書
【補正対象項目名】０００７
【補正方法】変更
【補正の内容】
【０００７】
そこで、本発明は、前回の読み取り動作で使用されなかった読取ユニット（第２の画像読取手段）を用いて、次回の読み取り動作を行う際、初期動作を遅延させることなく、良好な画質で画像を読み取ることができる画像読取装置を提供することを目的とする。
【手続補正５】
【補正対象書類名】明細書
【補正対象項目名】０００８
【補正方法】変更
【補正の内容】
【０００８】
上記目的を達成するために、本発明の画像読取装置は、原稿を搬送する搬送手段と、前記搬送手段により搬送される前記原稿の表面を読み取る第１の画像読取手段と、前記搬送手段により搬送される前記原稿の裏面をガラスを介して読み取る第２の画像読取手段と、前記原稿の搬送方向における前記第２の画像読取手段と前記ガラスの相対位置を移動させる移動手段と、前記第２の画像読取手段が前記ガラスを読み取った際にゴミによる異常画像を検知した場合、前記移動手段により前記第２の画像読取手段と前記ガラスの相対位置を移動させ、前記第２の画像読取手段により前記ガラスを読み取ることにより前記ガラスに付着したゴミによる異常度合が低い相対位置を検索する検索処理を行い、前記検索された相対位置で前記第２の画像読取手段による原稿の読み取りを行わせる制御手段を備え、前記制御手段は、前記第２の画像読取手段を使用せず前記第１の画像読取手段を使用して前記搬送手段により連続して搬送される複数の原稿を読み取る読取モードのとき、前記読取モードでの読取動作後に前記検索処理を行うことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明によれば、前回の読み取り動作で使用されなかった第２の画像読取手段を用いて、次回の読み取り動作を行う際、初期動作を遅延させることなく、良好な画質で画像を読み取ることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明の画像読取装置の実施の形態について図面を参照しながら説明する。本実施形態の画像読取装置はスキャナ装置単体に適用される。
【手続補正書】
【提出日】平成22年2月22日(2010.2.22)
【手続補正１】
【補正対象書類名】明細書
【補正対象項目名】００１９
【補正方法】変更
【補正の内容】
【００１９】
その後、ステップＳ１０１２において、ＲＬＣ-ＰＤＵ＃０（再送１）の受信処理に成功した受信側装置のＭＡＣサブレイヤが、かかるＲＬＣ-ＰＤＵ＃０（再送１）を、受信側装置のＲＬＣサブレイヤに対して送信する。
【手続補正２】
【補正対象書類名】明細書
【補正対象項目名】００４４
【補正方法】変更
【補正の内容】
【００４４】
ＡＣＫ待ちバッファ１４は、分割統合処理部１３からのＲＬＣ-ｄａｔａ-ＰＤＵや、再送バッファ１５からのＲＬＣ-ｄａｔａ-ＰＤＵ又はＲＬＣ-ｄａｔａ-Ｓｕｂ-ＰＤＵや、再分割処理部１７からのＲＬＣ-ｄａｔａ-Ｓｕｂ-ＰＤＵを格納するように構成されている。
【手続補正３】
【補正対象書類名】明細書
【補正対象項目名】００７４
【補正方法】変更
【補正の内容】
【００７４】
ここで、ＲＬＣ-ＰＤＵ送信部１８は、送信すべきＲＬＣ-ｄａｔａ-Ｓｕｂ-ＰＤＵに対して、ＲＬＣ-ｃｏｎｔｒｏｌ-ＰＤＵバッファ２０に格納されているＲＬＣ-ｃｏｎｔｒｏｌ-ＰＤＵ（ＳＴＡＴＵＳ-ＰＤＵ等）を付与することによって、ＲＬＣ-ｄａｔａ-Ｓｕｂ-ＰＤＵ-ｐｉｇｇｙｂａｃｋｅｄ-ｃｏｎｔｒｏｌ-ＰＤＵを生成して送信するように構成されていてもよい。
【手続補正４】
【補正対象書類名】明細書
【補正対象項目名】００８５
【補正方法】変更
【補正の内容】
【００８５】
ステップＳ２０１０において、送信側装置のＲＬＣサブレイヤは、受信した「ＳＴＡＴＵＳ-ＰＤＵ（ＮＡＣＫ）  ＳＮ＝０」に応じて、ＲＬＣ-ＰＤＵ（ＲＬＣ-ｄａｔａ-ＰＤＵ又はＲＬＣ-ｄａｔａ-Ｓｕｂ-ＰＤＵ）＃０について再送するか否かについて判定する。ステップＳ２０１０における送信側装置のＲＬＣサブレイヤの動作について、図８を参照して、具体的に説明する。
【手続補正５】
【補正対象書類名】明細書
【補正対象項目名】００９０
【補正方法】変更
【補正の内容】
【００９０】
（本発明の第１の実施形態に係る移動通信システムの作用・効果）
本発明の第１の実施形態に係る移動通信システムによれば、従来のＬＴＥ方式の移動通信システムにおける再送制御処理において、ＡＣＫ待ちバッファ１４が、受信側装置のＲＬＣレイヤから、特定のユーザデータＲＬＣ-ＰＤＵ＃０についての再送要求「ＳＴＡＴＵＳ-ＰＤＵ（ＮＡＣＫ）  ＳＮ＝０」を受信した場合であっても、特定のユーザデータＲＬＣ-ＰＤＵ＃０に対してＨＡＲＱ再送制御処理が行われていると判定された場合には、特定のユーザデータＲＬＣ-ＰＤＵ＃０について再送しないように構成されているため、重複したＲＬＣ-ＰＤＵ＃０の再送を防ぎ、無線リンクの帯域の無駄な消費を抑制することができる。
【手続補正６】
【補正対象書類名】図面
【補正対象項目名】図８
【補正方法】変更
【補正の内容】
【図８】
2008259026.tif 000001
【手続補正書】
【提出日】平成22年2月22日(2010.2.22)
【手続補正１】
【補正対象書類名】明細書
【補正対象項目名】００２２
【補正方法】変更
【補正の内容】
【００２２】
送信側装置のＲＬＣサブレイヤは、ステップＳ１１０１において、ＲＬＣ-ｄａｔａ-ＰＤＵ＃１を送信し、ステップＳ１１０２において、ＲＬＣ-ｄａｔａ-ＰＤＵ＃２を送信し、ステップＳ１１０３において、ＲＬＣ-ｄａｔａ-ＰＤＵ＃３を送信する。
【手続補正２】
【補正対象書類名】明細書
【補正対象項目名】００４３
【補正方法】変更
【補正の内容】
【００４３】
ＡＣＫ待ちバッファ１４は、分割統合処理部１３からのＲＬＣ-ｄａｔａ-ＰＤＵや、再送バッファ１５からのＲＬＣ-ｄａｔａ-ＰＤＵ又はＲＬＣ-ｄａｔａ-Ｓｕｂ-ＰＤＵや、再分割処理部１７からのＲＬＣ-ｄａｔａ-Ｓｕｂ-ＰＤＵを格納するように構成されている。
【手続補正３】
【補正対象書類名】明細書
【補正対象項目名】００９５
【補正方法】変更
【補正の内容】
【００９５】
ステップＳ２００９において、送信側装置のＲＬＣサブレイヤは、受信側装置から受信したＳＴＡＴＵＳ-ＰＤＵ（ＮＡＣＫ）（再送要求信号）において、「Ｓｅｌｅｃｔｉｖｅ  ＮＡＣＫ  Ｌａｓｔ  Ｏｃｔｅｔ」フィールドの値に特別値（所定値）が設定されているため（すなわち、再送要求信号によって再送終了位置として所定値が通知されているため）、ＳＮ＝ＸのＲＬＣ-ｄａｔａ-ＰＤＵ内における再送開始位置（「Ｓｅｌｅｃｔｉｖｅ  ＮＡＣＫ  Ｆｉｒｓｔ  Ｏｃｔｅｔ」フィールドに設定されている位置）から最後までの部分（図７の例では、ＲＬＣ-ｄａｔａ-Ｓｕｂ-ＰＤＵ＃３）を再送する必要があると判断して再送する。
【手続補正４】
【補正対象書類名】明細書
【補正対象項目名】０１０２
【補正方法】変更
【補正の内容】
【０１０２】
送信側装置のＲＬＣサブレイヤは、ステップＳ２１０１において、ＲＬＣ-ｄａｔａ-ＰＤＵ＃１を送信し、ステップＳ２１０２において、ＲＬＣ-ｄａｔａ-ＰＤＵ＃２を送信し、ステップＳ２１０３において、ＲＬＣ-ｄａｔａ-ＰＤＵ＃３を送信する。
【手続補正５】
【補正対象書類名】明細書
【補正対象項目名】０１０６
【補正方法】変更
【補正の内容】
【０１０６】
ステップＳ２１０６において、送信側装置のＲＬＣサブレイヤは、受信側装置から受信したＳＴＡＴＵＳ-ＰＤＵ（ＮＡＣＫ）（再送要求信号）において、「Ｓｅｌｅｃｔｉｖｅ  ＮＡＣＫ  Ｌａｓｔ  Ｏｃｔｅｔ」フィールドの値に特別値（所定値）が設定されているため（すなわち、再送要求信号によって再送終了位置として所定値が通知されているため）、ＳＮ＝ＸのＲＬＣ-ＳＤＵ内における再送開始位置（「Ｓｅｌｅｃｔｉｖｅ  ＮＡＣＫ  Ｆｉｒｓｔ  Ｏｃｔｅｔ」フィールドに設定されている位置）から最後までの部分（図８の例では、ＲＬＣ-ｄａｔａ-ＰＤＵ＃３）を再送する必要があると判断して再送する。
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
電子写真方式の画像形成装置の動作条件に対応して生じる光学歪を補正するための補正量の情報と、前記補正をすべき走査線上の座標情報とを用いて、画像の歪補正を行なった画像データを作成するレンダリング手段と、
前記レンダリング手段により作成された前記画像データを前記画像形成装置に送信する送信手段と、
を有することを特徴とする情報処理装置。
【請求項２】
前記動作条件は、前記画像形成装置で使う記録紙の搬送速度もしくは前記画像形成装置の印刷解像度もしくは、前記画像形成装置で使う記録紙の種類であることを特徴とする請求項１に記載の情報処理装置。
【請求項３】
情報処理装置で実行される情報処理方法であって、
レンダリング手段が、電子写真方式の画像形成装置の動作条件に対応して生じる光学歪を補正するための補正量の情報と、前記補正をすべき走査線上の座標情報とを用いて、画像の歪補正を行なった画像データを作成するレンダリング工程と、
送信手段が、前記レンダリング工程で作成された前記画像データを前記画像形成装置に送信する送信工程と、
を有することを特徴とする情報処理方法。
【請求項４】
前記動作条件は、前記画像形成装置で使う記録紙の搬送速度もしくは前記画像形成装置の印刷解像度もしくは、前記画像形成装置で使う記録紙の種類であることを特徴とする請求項３に記載の情報処理方法。
【手続補正２】
【補正対象書類名】明細書
【補正対象項目名】発明の名称
【補正方法】変更
【補正の内容】
【発明の名称】情報処理装置、情報処理方法
【手続補正３】
【補正対象書類名】明細書
【補正対象項目名】０００１
【補正方法】変更
【補正の内容】
【０００１】
本発明は、情報処理技術に関する。
【手続補正４】
【補正対象書類名】明細書
【補正対象項目名】００１２
【補正方法】変更
【補正の内容】
【００１２】
上記の目的を達成するための本発明に係る情報処理装置は、
電子写真方式の画像形成装置の動作条件に対応して生じる光学歪を補正するための補正量の情報と、前記補正をすべき走査線上の座標情報とを用いて、画像の歪補正を行なった画像データを作成するレンダリング手段と、
前記レンダリング手段により作成された前記画像データを前記画像形成装置に送信する送信手段と、を有することを特徴とする。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部を有する遊技演出ユニットと、
所定の発射位置から遊技球を発射し、遊技領域の上部に設けられる球投入口から当該遊技領域へ遊技球を打ち込む発射装置と、
前記発射装置に隣接して前記本体枠に設けられる第一レール、
前記遊技板部に設けられ、前記第一レールにて案内される遊技球を前記球投入口へ案内可能な第二レール、及び
前記第一レールと前記第二レールとの間に設けられ、両レールを一連とする第三レールからなる案内レールと
を有し、
前記第三レールは、
遊技球が前記発射装置により前記球投入口まで到達する勢いで発射された場合における当該遊技球の弾道よりも下方に、その上面が位置するよう構成されている
ことを特徴とする遊技機。
【請求項２】
前記第二レールと前記第三レールとの間に、ファール球を受け入れ可能なファール口が形成されており、
前記ファール口は、
遊技球が前記発射装置により前記球投入口まで到達する勢いで発射された場合における当該遊技球の弾道よりも下方に位置するよう形成されている
ことを特徴とする請求項１に記載の遊技機。
【請求項３】
前記ファール口は、
前記遊技板部の前構成部材に形成されている
ことを特徴とする請求項２に記載の遊技機。
【手続補正２】
【補正対象書類名】明細書
【補正対象項目名】０００８
【補正方法】変更
【補正の内容】
【０００８】
本発明の遊技機は、縦長矩形状に形成された外枠と、前記外枠の前面一側に軸支されて開閉自在に設けられた本体枠と、前記本体枠に収容され、主として遊技領域が形成される遊技板部を有する遊技演出ユニットと、所定の発射位置から遊技球を発射し、遊技領域の上部に設けられる球投入口から当該遊技領域へ遊技球を打ち込む発射装置と、前記発射装置に隣接して前記本体枠に設けられる第一レール、前記遊技板部に設けられ、前記第一レールにて案内される遊技球を前記球投入口へ案内可能な第二レール、及び前記第一レールと前記第二レールとの間に設けられ、両レールを一連とする第三レールからなる案内レールとを有し、前記第三レールは、遊技球が前記発射装置により前記球投入口まで到達する勢いで発射された場合における当該遊技球の弾道よりも下方に、その上面が位置するよう構成されていることを特徴とする。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠に収容され、主として遊技領域が形成される遊技板部を有する遊技演出ユニットと、
所定の発射位置から遊技球を発射し、遊技領域の上部に設けられる球投入口から当該遊技領域へ遊技球を打ち込む発射装置と、
前記発射装置に隣接して前記本体枠に設けられる第一レール、
前記第一レールにて案内される遊技球を前記球投入口へ案内可能な第二レール、及び
前記第一レールと前記第二レールとの間に設けられ、両レールを一連とする第三レールからなる案内レールと
を有し、
前記遊技板部は、
遊技領域の外周を区画形成する前構成部材を少なくとも有してなり、
前記第二レール及び前記第三レールを前記遊技板部の前構成部材に設けると共に、前記第二レールと前記第三レールとの間に、ファール球を受け入れ可能なファール口を設けた
ことを特徴とする遊技機。
【請求項２】
前記ファール口は、
前記遊技板部の前構成部材に設けられている
ことを特徴とする請求項１に記載の遊技機。
【請求項３】
前記第一レールは、
発射装置に隣接して設けられた発射レールと、当該発射レールと前記第三レールとの間に介在する段差部とからなる
ことを特徴とする請求項１または請求項２に記載の遊技機。
【手続補正２】
【補正対象書類名】明細書
【補正対象項目名】０００７
【補正方法】変更
【補正の内容】
【０００７】
本発明の遊技機は、縦長矩形状に形成された外枠と、前記外枠の前面一側に軸支されて開閉自在に設けられた本体枠と、前記本体枠に収容され、主として遊技領域が形成される遊技板部を有する遊技演出ユニットと、所定の発射位置から遊技球を発射し、遊技領域の上部に設けられる球投入口から当該遊技領域へ遊技球を打ち込む発射装置と、前記発射装置に隣接して前記本体枠に設けられる第一レール、前記第一レールにて案内される遊技球を前記球投入口へ案内可能な第二レール、及び前記第一レールと前記第二レールとの間に設けられ、両レールを一連とする第三レールからなる案内レールとを有し、前記遊技板部は、遊技領域の外周を区画形成する前構成部材を少なくとも有してなり、前記第二レール及び前記第三レールを前記遊技板部の前構成部材に設けると共に、前記第二レールと前記第三レールとの間に、ファール球を受け入れ可能なファール口を設けたことを特徴とする。
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
遊技領域が形成された遊技板部を有し、当該遊技板部の遊技領域に向けて遊技球が打ち込まれる遊技演出ユニットと、
前記遊技演出ユニットに設けられ、少なくとも装飾図柄の変動表示が行われる変動表示装置と、
前記遊技領域に設けられ、遊技球が入球可能な始動口と、
前記遊技領域に設けられ、遊技球が入賞困難な閉状態と当該閉状態よりも遊技球が入賞容易な開状態とに変化可能な開閉入賞口と、
前記始動口への遊技球の入球を検出する検出手段と、
前記検出手段により遊技球の入球が検出されることに基づき、大当たりの当落にかかる判定を行う当落判定処理、及び、当該当落判定処理にて大当たりに当選した場合に当該大当たりの種別を判定する当選種別判定処理、を行う抽選手段と、
前記装飾図柄の変動表示を行う変動表示制御手段と、
前記当落判定処理において大当たりに当選したと判定されたことに応じ、前記開閉入賞口を複数回にわたって開閉動作させる大当たり遊技を実行する大当たり遊技実行手段と、
前記大当たり遊技実行手段による大当たり遊技の実行中に行われる大当たり遊技演出を複数種類記憶する演出記憶手段と、
前記演出記憶手段に記憶された前記大当たり遊技演出に対応する３つ以上の演出項目を、前記大当たり遊技実行手段による大当たり遊技に際し、前記変動表示装置に表示可能な演出項目表示制御手段と、
前記演出項目表示制御手段にて表示される前記演出項目の選択期間において随時、所望する演出項目を決定指示可能な操作手段と、
前記操作手段を介した決定指示に基づき、前記演出項目に対応する前記大当たり遊技演出を実行する演出実行手段と、
遊技者にとって比較的不利な遊技状態である通常遊技状態、又は、前記当落判定処理における大当たりの当選確率が前記通常遊技状態における当選確率よりも高くなると共に外部から認識可能な態様で進行する有利遊技状態、に遊技状態を制御可能な遊技状態制御手段と
を備え、
前記当選種別判定手段にて判定される大当たりの種別には、前記大当たり遊技実行手段による大当たり遊技の終了後、前記遊技状態制御手段により遊技状態が前記有利遊技状態とされる第１大当たり、及び、前記遊技状態制御手段により遊技状態が前記通常遊技状態とされる第２大当たり、が少なくとも含まれており、
前記演出項目表示制御手段は、
前記当選種別判定処理にて判定された大当たりの種別が前記第１大当たりである場合に、前記演出項目の一つに特定の演出項目を表示する
ことを特徴とする遊技機。
【請求項２】
前記演出項目表示制御手段は、
前記当選種別判定処理にて判定された大当たりの種別が前記第１大当たりである場合であっても、所定条件が成立したときにだけ、前記特定の演出項目を表示する
ことを特徴とする請求項１に記載の遊技機。
【請求項３】
前記演出項目表示制御手段は、
前記演出項目を表示するにあたり、前記演出項目が分からないように、少なくとも一部の表示情報が伏せられた伏せ項目として表示可能である
ことを特徴とする請求項１または請求項２に記載の遊技機。
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
同一の被写体を撮影して得られた、過去医用画像と該過去医用画像を撮影した時より後に撮影した現在医用画像のうちいずれか一方の画像上に現れた異常陰影の大きさを計測する第１の計測手段と、
前記現在医用画像と前記過去医用画像のうちの他方の画像上で前記異常陰影の現れた位置に対応する位置に現れた異常陰影の大きさを計測する第２の計測手段と、
前記計測した２つの異常陰影の大きさの変化を表す文字列を生成して、該文字列を前記過去医用画像と前記現在医用画像の症例に関するレポート文に含むファイルを出力するレポート出力手段とを備えたことを特徴とするレポート作成支援装置。
【請求項２】
前記一方の画像上の異常陰影の位置を入力する入力手段をさらに備え、
前記第１の計測手段が、前記入力された位置に現れた異常陰影の大きさを計測するものであることを特徴とする請求項１記載のレポート作成支援装置。
【請求項３】
前記過去医用画像および前記現在医用画像が前記被写体を所定のスライス間隔で撮影して得られた複数の断層画像からなるものであり、
前記過去医用画像と前記現在医用画像の間で、前記断層画像のスライス位置を位置合わせする位置合わせ手段とをさらに備え、
前記第１の計測手段および前記第２の計測手段が、前記位置合わせ手段により位置合わせされた断層画像のうち対応する前記過去医用画像の断層画像と前記現在医用画像の断層画像から前記異常陰影の大きさを計測するものであることを特徴とする請求項１または２記載のレポート作成支援装置。
【請求項４】
コンピュータを、
同一の被写体を撮影して得られた、過去医用画像と該過去医用画像を撮影した時より後に撮影した現在医用画像のうちいずれか一方の画像上に現れた異常陰影の大きさを計測する第１の計測手段と、
前記現在医用画像と前記過去医用画像のうちの他方の画像上で前記異常陰影の現れた位置に対応する位置に現れた異常陰影の大きさを計測する第２の計測手段と、
前記計測した２つの異常陰影の大きさの変化を表す文字列を生成して、該文字列を前記過去医用画像と前記現在医用画像の症例に関するレポート文に含むファイルを出力するレポート出力手段として機能させるプログラム。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
遊技盤の裏面側に配置された所定の遊技を制御する主制御基板と、
前記遊技盤の裏面側に配置された取付台座と、
前記取付台座に取り付けられた中継基板と、
前記中継基板を介して前記主制御基板と電気的に接続される複数の電気部品と、
を備える遊技機において、
前記取付台座に設けられ、前記中継基板の長手方向一端側と係合する係合部と、
前記中継基板の長手方向他端側を挟持する封止部と、
前記封止部と係合して解除痕跡を残さない前記中継基板の取り外しを不能にする封止部材と、
を備えることを特徴とする遊技機。
【請求項２】
前記封止部が、前記封止部材により移動が規制される押さえ部材と、前記取付台座に設けられ、前記封止部材と係合する係合部とを含み、
前記中継基板が、前記取付台座と前記押さえ部材とで挟持されている、
請求項１に記載の遊技機。
【請求項３】
前記取付台座が、前記中継基板の外側面に沿って該中継基板を囲う壁体と、前記中継基板の裏面を覆う底板とを含み、
前記押さえ部材が、前記壁体と前記底板とにより形成される凹部に配置されている、
請求項１又は２に記載の遊技機。
【請求項４】
前記封止部が、前記押さえ部材の下端に設けられた係合突片と、前記取付台座に設けられ、前記係合突片と係合する係止部とを含み、
前記係合部と前記封止部材とが係合した状態において、前記係合突片と前記係止部との係合は解除不能である、
請求項２又は３に記載の遊技機。
【請求項５】
前記係合部が、前記底板から前記取付台座の短辺方向に沿って立設された立壁と、前記壁体の一部を構成する前記取付台座の短辺に沿った壁体から前記凹部の内側に向けて突出して前記中継基板に対して前記底板と反対側に配置される横壁とを含む、
請求項１〜４のいずれか一項に記載の遊技機。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
被写体を撮影して取得した３次元のボリュームデータを外部からの操作によって投影方向または投影位置を変更可能に投影する投影画像生成装置において、
前記投影する投影方向または投影位置が前記操作により変更されたとき、投影する投影面上の注目領域内の投影画像の解像度を前記注目領域を除く投影面上の投影画像の解像度より高く設定する解像度設定手段と、
設定された解像度に従って前記投影面を前記注目領域の内外で異なる大きさの小領域に分割し、該分割された各小領域の画素値を該各小領域に投影される前記３次元のボリュームデータの画素値から算出して投影画像を生成する投影画像生成手段と、
該投影画像生成手段により、前記投影面を分割した小領域の画素値の算出が終了した後に、少なくとも前記注目領域以外の投影面上の投影画像の解像度を次第に高く再設定しつつ投影画像を繰り返し生成する解像度変更手段とを備えたことを特徴とする投影画像生成装置。
【請求項２】
前記投影画像生成手段が、前記各小領域の画素値を、該各小領域を通り前記投影方向に伸びる光線が通過する前記３次元のボリュームデータを構成するボクセルの画素値から算出することを特徴とする請求項１記載の投影画像生成装置。
【請求項３】
前記解像度変更手段が、前記注目領域から外側に向けて前記設定されている解像度を徐々に上げながら投影画像を繰り返し生成するものであることを特徴とする請求項１または２記載の投影画像生成装置。
【請求項４】
被写体を撮影して取得した３次元のボリュームデータを外部からの操作によって投影方向または投影位置を変更可能に投影する投影画像生成装置のコンピュータを、
前記投影する投影方向または投影位置が前記操作により変更されたとき、投影する投影面上の注目領域内の投影画像の解像度を前記注目領域を除く投影面上の投影画像の解像度より高く設定する解像度設定手段と、
設定された解像度に従って前記投影面を前記注目領域の内外で異なる大きさの小領域に分割し、該分割された各小領域の画素値を該各小領域に投影される前記３次元のボリュームデータの画素値から算出して投影画像を生成する投影画像生成手段と、
該投影画像生成手段により、前記投影面を分割した小領域の画素値の算出が終了した後に、少なくとも前記注目領域以外の投影面上の投影画像の解像度を次第に高く再設定しつつ投影画像を繰り返し生成する解像度変更手段として機能させるプログラム。
【手続補正書】
【提出日】平成22年2月10日(2010.2.10)
【手続補正１】
【補正対象書類名】特許請求の範囲
【補正対象項目名】請求項１
【補正方法】変更
【補正の内容】
【請求項１】
角度調整具（14）によって、前後傾動可能な背もたれ部（17）を有する家具に於て、該角度調整具（14）が、上記背もたれ部（17）の支持フレーム（19）に連設されるアーム部材（１）と、該アーム部材（１）に形成したギヤ部（４）と、上記ギヤ部（４）に係脱自在に係止して上記背もたれ部（17）の後方傾動を阻止する爪部材（６）と、を備え、上記爪部材（６）が上記ギヤ部（４）に係脱自在に係止する複数の歯部（６ａ）を先端に有することを特徴とする背もたれ付家具。
【手続補正２】
【補正対象書類名】明細書
【補正対象項目名】０００６
【補正方法】変更
【補正の内容】
【０００６】
そこで、本発明に係る背もたれ付家具は、角度調整具によって、前後傾動可能な背もたれ部を有する家具に於て、該角度調整具が、上記背もたれ部の支持フレームに連設されるアーム部材と、該アーム部材に形成したギヤ部と、上記ギヤ部に係脱自在に係止して上記背もたれ部の後方傾動を阻止する爪部材と、を備え、上記爪部材が上記ギヤ部に係脱自在に係止する複数の歯部を先端に有するものである。
【手続補正３】
【補正対象書類名】明細書
【補正対象項目名】００２７
【補正方法】変更
【補正の内容】
【００２７】
以上のように、本発明は、角度調整具14によって、前後傾動可能な背もたれ部17を有する家具に於て、角度調整具14が、背もたれ部17の支持フレーム19に連設されるアーム部材１と、アーム部材１に形成したギヤ部４と、ギヤ部４に係脱自在に係止して背もたれ部17の後方傾動を阻止する爪部材６と、を備え、爪部材６がギヤ部４に係脱自在に係止する複数の歯部６ａを先端に有するので、爪部材６にかかる傾動を阻止する力を複数の歯部６ａにて分散して受けることができ、各々の歯部６ａにかかる力を小さくできる。つまり、ギヤ部４のギヤ歯４ａが小さくでき、ギヤ数を増やせるので、背もたれ部17の位置決め段数を多段にできる。即ち、背もたれ部17の角度を微調整できる。さらに、ギヤ部４と爪部材６を小型化でき、軽量化できる。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
受け皿を備えた焼き網上に載せた調理物を収容する調理室と、前記調理物の上面を加熱する上面加熱手段と、前記調理物の下面を前記焼き網の下から加熱する下面加熱手段と、前記調理室に設けた排気口と、前記調理室に設けた気体導入口とを備え、前記排気口には調理物からの油煙を除去するための触媒体を設ける構成とし、前記気体導入口から前記調理室内へ不活性気体を導入し、前記調理室内の酸素濃度を大気中の酸素濃度よりも相対的に低下した加熱調理器。
【請求項２】
不活性気体は窒素、二酸化炭素、アルゴンの少なくとも１種とした請求項１に記載の加熱調理器。
【請求項３】
不活性気体は水蒸気とした請求項１に記載の加熱調理器。
【請求項４】
水蒸気は液体の水を蒸発させて水蒸気を発生させる水蒸気発生装置から導入する構成とした請求項３に記載の加熱調理器。
【請求項５】
調理室内の酸素濃度は５％以上１５％以下とした請求項１に記載の加熱調理器。
【請求項６】
触媒体は繊維質セラミックからなる構造体と、前記構造体の表面に形成された触媒層からなる構成とした請求項１に記載の加熱調理器。
【請求項７】
触媒層は少なくともセリウムとアルミニウムを主成分とする担体層と、前記担体層の表面に担持した白金、パラジウム、ルテニウム、ロジウムの少なくとも１種で構成した請求項６に記載の加熱調理器。
【請求項８】
触媒層は少なくともバリウムとセリウムとアルミニウムを主成分とする担体層と、前記担体層の表面に担持した白金、パラジウム、ルテニウム、ロジウムの少なくとも１種で構成した請求項６に記載の加熱調理器。
【請求項９】
請求項１〜８のいずれか１項に記載の加熱調理器を搭載した電磁誘導加熱式調理器。
【手続補正２】
【補正対象書類名】明細書
【補正対象項目名】０００９
【補正方法】変更
【補正の内容】
【０００９】
前記従来の課題を解決するために、本発明の加熱調理器は、受け皿を備えた焼き網上に載せた調理物を収容する調理室と、前記調理物の上面を加熱する上面加熱手段と、前記調理物の下面を前記焼き網の下から加熱する下面加熱手段を備えて調理物を調理するものであり、前記調理室に設けた気体導入口を備え、前記排気口には調理物からの油煙を除去するための触媒体を設け、排気口からの油煙を低減するとともに、前記気体導入口から前記調理室内へ不活性気体を導入し、前記調理室内の酸素濃度を大気中の酸素濃度よりも相対的に低下したものである。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
所定の時間間隔で被写体を撮影して得られた３次元ボリュームデータ群を記憶するボリュームデータ記憶手段と、
前記３次元ボリュームデータ群のうちの１つの３次元ボリュームデータ内に存在する投影対象物を、１つの視点から投影して得た投影画像を生成する第１の投影手段と、
前記１つの３次元ボリュームデータ内に存在する投影対象物と、前記３次元ボリュームデータ群のうちの前記１つの３次元ボリュームデータを撮影した時と異なる時に撮影された他の３次元ボリュームデータ内に存在する投影対象物とから、該投影対象物が前記２つの３次元ボリュームデータ間で動いた動き情報を取得する動き情報取得手段と、
該動き情報取得手段により取得された動き情報に応じて、前記視点を移動させる視点移動手段と、
該視点移動手段より移動させた視点から前記他の３次元ボリュームデータ内に存在する前記投影対象物を投影した投影画像を生成する第２の投影手段とを備えたことを特徴とする投影画像生成装置。
【請求項２】
前記視点移動手段が、前記１つの３次元ボリュームデータを投影するときに前記視点の位置が前記投影対象物の表面より内側に存在する場合には、前記視点を前記他の３次元ボリュームデータの投影対象物の表面より内側に存在するように移動させ、前記１つの３次元ボリュームデータを投影するときに前記視点の位置が前記投影対象物の表面より外側に存在する場合には、前記視点を前記他の３次元ボリュームデータの投影対象物の表面より外側に存在するように移動させることを特徴とする請求項１記載の投影画像生成装置。
【請求項３】
コンピュータを、
所定の時間間隔で被写体を撮影して得られた３次元ボリュームデータ群のうちの１つの３次元ボリュームデータ内に存在する投影対象物を、１つの視点から投影して得た投影画像を生成する第１の投影手段と、
前記１つの３次元ボリュームデータ内に存在する投影対象物と、前記３次元ボリュームデータ群のうちの前記１つの３次元ボリュームデータを撮影した時と異なる時に撮影された他の３次元ボリュームデータ内に存在する投影対象物とから、該投影対象物が前記２つの３次元ボリュームデータ間で動いた動き情報を取得する動き情報取得手段と、
該動き情報取得手段により取得された動き情報に応じて、前記視点を移動させる視点移動手段と、
該視点移動手段より移動させた視点から前記他の３次元ボリュームデータ内に存在する前記投影対象物を投影した投影画像を生成する第２の投影手段として機能させるプログラム。
【請求項４】
所定の時間間隔で被写体を撮影して得られた３次元ボリュームデータ群のうちの１つの３次元ボリュームデータ内に存在する投影対象物を、１つの視点から投影して得た投影画像を生成する第１の投影ステップと、
前記１つの３次元ボリュームデータ内に存在する投影対象物と、前記３次元ボリュームデータ群のうちの前記１つの３次元ボリュームデータを撮影した時と異なる時に撮影された他の３次元ボリュームデータ内に存在する投影対象物とから、該投影対象物が前記２つの３次元ボリュームデータ間で動いた動き情報を取得する動き情報取得ステップと、
該動き情報取得ステップにより取得された動き情報に応じて、前記視点を移動させる視点移動ステップと、
該視点移動ステップより移動させた視点から前記他の３次元ボリュームデータ内に存在する前記投影対象物を投影した投影画像を生成する第２の投影ステップとを備えたことを特徴とする投影画像生成方法。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品を表示する表示手段と、該表示手段に表示される景品の中から、前記ユーザが所有する有価価値との交換を希望する景品の選択を受け付ける選択受付手段と、を有する景品表示装置と、
該景品表示装置に表示される景品に関する情報を管理する景品管理装置と、
を備える景品交換システムであって、
前記景品管理装置は、
所定数の景品が含まれる景品パッケージを複数設定する景品パッケージ設定手段と、
該景品パッケージ設定手段により設定された前記複数の景品パッケージのうち、前記店舗が希望する景品パッケージの選択を受け付ける景品パッケージ選択受付手段と、
該景品パッケージ選択受付手段にて選択された景品パッケージに含まれる景品を当該店舗に設けられる前記景品表示装置で表示するための処理を行う景品表示処理手段と、を有することを特徴とする景品交換システム。
【請求項２】
請求項１に記載した景品交換システムであって、
前記景品管理装置は、
前記景品パッケージ設定手段により設定された前記景品パッケージに含まれる景品を更新する景品更新手段をさらに有し、
該景品更新手段により更新された景品を前記景品表示装置で表示するための処理を前記景品表示処理手段により行うことを特徴とする景品交換システム。
【請求項３】
請求項１又は２に記載した景品交換システムであって、
前記景品管理装置は、複数の景品提供業者から提供される景品に関する情報を管理し、
前記景品パッケージ設定手段は、前記複数の景品提供業者のうちの少なくとも一部の景品提供業者について、各景品提供業者毎に前記景品パッケージを設定し、
前記景品パッケージ選択受付手段は、前記店舗が希望する景品提供業者及び景品パッケージの選択を受け付けることを特徴とする景品交換システム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品の中から、前記ユーザが所有する有価価値との交換を希望する景品の選択を受け付ける選択受付手段と、該選択受付手段にて選択された景品を当該ユーザに提供するための景品提供要求を送信する景品提供要求送信手段と、を有する景品選択装置と、
該景品提供要求送信手段から送信されてきた景品提供要求の対象である景品を前記ユーザに提供するための提供情報を登録する提供情報登録処理を行う提供情報登録手段を有する景品管理装置と、を備え、
前記景品選択装置は、前記選択受付手段にて選択された景品に相当する有価価値を前記ユーザが所有する有価価値から減算するための減算処理を行う減算処理端末と別個に設けられ、該減算処理が行われたか否かに拘わらず、前記景品提供要求を送信する景品交換システムであって、
前記景品管理装置は、
前記提供情報登録手段にて登録された提供情報のうち、取消を希望する提供情報の指定を前記店舗から受け付ける取消指定受付手段と、
該取消指定受付手段にて指定を受け付けた提供情報に対応する景品の前記ユーザへの提供を停止するための処理を行う提供停止手段と、をさらに有することを特徴とする景品交換システム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】